(57)【要約】【課題】  ユーザによるメモリカードの着脱操作と一体化した、安全で分かりやすく優れたユーザインタフェース環境を提供する。【解決手段】  テレビ装置を遠隔操作可能なリモコン装置４は、テレビ装置にコマンド及びデータを送信可能な信号送信部４０５と、テレビ装置の電源のＯＮ/ＯＦＦ操作を行うための電源ボタン４０６と、メモリカードを着脱可能に装着するメモリカードスロット４０８と、メモリカードスロット４０８に装着されたメモリカード６からデータを読取る読取り部４１０と、メモリカードスロット４０８へのメモリカード６の装着の有無を検知する検知部４０９とを具備する。リモコン装置４においてメモリカード６の装着が検知されている場合に電源ボタン４０６が押下されたとき、電源信号に加えてメモリカード６から読取ったデータを信号送信部４０５からテレビ装置に送信して、テレビ装置ではそのデータをハードディスク装置３１３に記録する。【選択図】  図３
2006086589.tif 000002
【特許請求の範囲】
【請求項１】
テレビジョン受像機と、前記テレビジョン受像機を遠隔操作可能なリモートコントロール装置とを有するテレビジョン受像システムであって、
前記テレビジョン受像機は、前記リモートコントロール装置から送信されるコマンド及びデータを受信する受信手段と、前記受信手段により受信したデータを記録可能な記録手段と、前記受信手段により受信したコマンドに従って制御を行う制御手段とを具備し、
前記リモートコントロール装置は、前記テレビジョン受像機にコマンド及びデータを送信可能な送信手段と、前記テレビジョン受像機の電源のＯＮ/ＯＦＦ操作を行うための電源ボタンと、記録媒体を着脱可能に装着する記録媒体装着部と、前記記録媒体装着部に装着された記録媒体からデータを読取るデータ読取り手段と、前記記録媒体装着部への記録媒体の装着の有無を検知する検知手段とを具備し、
前記リモートコントロール装置において前記記録媒体装着部に記録媒体が装着されている場合に前記電源ボタンが押下されたとき、電源信号に加えて記録媒体から読取ったデータを前記送信手段から前記テレビジョン受像機に送信して、前記テレビジョン受像機ではそのデータを前記記録手段に記録する構成にしたことを特徴とするテレビジョン受像システム。
【請求項２】
前記テレビジョン受像機において電源ＯＦＦ又はスタンバイ状態から前記リモートコントロール装置での操作により電源信号を受信して電源ＯＮ状態に移行するときに、前記記録手段に前記リモートコントロール装置から受信した記録媒体のデータを記録することを特徴とする請求項１に記載のテレビジョン受像システム。
【請求項３】
前記リモートコントロール装置において前記記録媒体装着部に記録媒体が装着されていない場合に前記電源ボタンが押下されたとき、電源信号に加えて非装着信号を前記送信手段から前記テレビジョン受像機に送信することを特徴とする請求項１又は２に記載のテレビジョン受像システム。
【請求項４】
前記リモートコントロール装置において記録媒体の非装着状態から装着状態へ移行したことを検知したとき、記録媒体から読取ったデータを前記送信手段から前記テレビジョン受像機に送信することを特徴とする請求項１〜３のいずれか１項に記載のテレビジョン受像システム。
【請求項５】
前記リモートコントロール装置において記録媒体の装着状態から非装着状態へ移行したことを検知したとき、前記テレビジョン受像機の記録手段に記録されているデータを消去するための消去コマンドを前記送信手段から前記テレビジョン受像機に送信することを特徴とする請求項１〜４のいずれか１項に記載のテレビジョン受像システム。
【請求項６】
前記リモートコントロール装置において記録媒体から読取ったデータを前記送信手段から前記テレビジョン受像機に送信する際、送信にかかるデータの全容量を読取り、データ送信開始初期段階で送信データ容量を送信することを特徴とする請求項１〜５のいずれか１項に記載のテレビジョン受像システム。
【請求項７】
前記テレビジョン受像機において電源ＯＮ状態から前記リモートコントロール装置での操作により電源信号を受信して電源ＯＦＦ又はスタンバイ状態に移行するときに、前記記録手段に前記リモートコントロール装置から受信した記録媒体のデータが記録されている場合、そのデータを消去することを特徴とする請求項１〜６のいずれか１項に記載のテレビジョン受像システム。
【請求項８】
前記テレビジョン受像機がデータ容量比較手段を具備し、前記リモートコントロール装置の送信手段から送信される記録媒体のデータを受信して前記記録手段に記録するとき、実際に記録されたデータ容量と記録されるべきデータ容量を比較し、前記記録手段に実際に記録されたデータ容量が記録されるべきデータ容量より小さかった場合、送信が不完全であるメッセージを表示するようにしたことを特徴とする請求項１〜７のいずれか１項に記載のテレビジョン受像システム。
【請求項９】
前記テレビジョン受像機に視覚的に識別可能な識別手段を設け、前記記録手段に記録媒体のデータが記録されているときは、前記識別手段によりデータの存在を認識可能にすることを特徴とする請求項１〜８のいずれか１項に記載のテレビジョン受像システム。
【請求項１０】
前記テレビジョン受像機に少なくとも２つ以上の状態を視覚的に識別可能にする識別手段を設け、前記記録手段に記録されている記録媒体のデータが完全である場合と不完全である場合との２つの状態に対応させた識別状態にすることを特徴とする請求項１〜８のいずれか１項に記載のテレビジョン受像システム。
【請求項１１】
テレビジョン受像機を遠隔操作可能なリモートコントロール装置であって、
前記テレビジョン受像機にコマンド及びデータを送信可能な送信手段と、
前記テレビジョン受像機の電源のＯＮ/ＯＦＦ操作を行うための電源ボタンと、
記録媒体を着脱可能に装着する記録媒体装着部と、
前記記録媒体装着部に装着された記録媒体からデータを読取るデータ読取り手段と、
前記記録媒体装着部への記録媒体の装着の有無を検知する検知手段とを具備し、
前記記録媒体装着部に記録媒体が装着されている場合に前記電源ボタンが押下されたとき、電源信号に加えて記録媒体から読取ったデータを前記送信手段から前記テレビジョン受像機に送信して、前記テレビジョン受像機ではそのデータを記録手段に記録することを特徴とするリモートコントロール装置。
【請求項１２】
コマンド及びデータを送信可能な送信手段と、テレビジョン受像機の電源のＯＮ/ＯＦＦ操作を行うための電源ボタンと、記録媒体を着脱可能に装着する記録媒体装着部と、前記記録媒体装着部に装着された記録媒体からデータを読取るデータ読取り手段と、前記記録媒体装着部への記録媒体の装着の有無を検知する検知手段とを具備するリモートコントロールにより遠隔操作可能なテレビジョン受像機であって、
前記リモートコントロール装置から送信されるコマンド及びデータを受信する受信手段と、
前記受信手段により受信したデータを記録可能な記録手段と、
前記受信手段により受信したコマンドに従って制御を行う制御手段とを具備し、
前記リモートコントロール装置において前記記録媒体装着部に記録媒体が装着されている場合に前記電源ボタンが押下されたとき、電源信号に加えて記録媒体から読取ったデータが前記送信手段から送信され、そのデータを前記受信部により受信して前記記録部に記録することを特徴とするテレビジョン受像機。
【請求項１３】
リモートコントロール装置によるテレビジョン受像機の遠隔操作方法であって、
前記テレビジョン受像機は、前記リモートコントロール装置から送信されるコマンド及びデータを受信する受信手段と、前記受信手段により受信したデータを記録可能な記録手段と、前記受信手段により受信したコマンドに従って制御を行う制御手段とを具備し、
前記リモートコントロール装置は、前記テレビジョン受像機にコマンド及びデータを送信可能な送信手段と、前記テレビジョン受像機の電源のＯＮ/ＯＦＦ操作を行うための電源ボタンと、記録媒体を着脱可能に装着する記録媒体装着部と、前記記録媒体装着部に装着された記録媒体からデータを読取るデータ読取り手段と、前記記録媒体装着部への記録媒体の装着の有無を検知する検知手段とを具備し、
前記リモートコントロール装置において前記記録媒体装着部に記録媒体が装着されている場合に前記電源ボタンが押下されたとき、電源信号に加えて記録媒体から読取ったデータを前記送信手段から前記テレビジョン受像機に送信する手順と、
前記テレビジョン受像機において前記手順により送信されたデータを前記記録手段に記録する手順とを有することを特徴とするテレビジョン受像機の遠隔操作方法。
【請求項１４】
テレビジョン受像機と、前記テレビジョン受像機を遠隔操作可能なリモートコントロール装置とを有するテレビジョン受像システムにおける遠隔操作処理を実行させるコンピュータプログラムであって、
前記テレビジョン受像機は、前記リモートコントロール装置から送信されるコマンド及びデータを受信する受信手段と、前記受信手段により受信したデータを記録可能な記録手段と、前記受信手段により受信したコマンドに従って制御を行う制御手段とを具備し、
前記リモートコントロール装置は、前記テレビジョン受像機にコマンド及びデータを送信可能な送信手段と、前記テレビジョン受像機の電源のＯＮ/ＯＦＦ操作を行うための電源ボタンと、記録媒体を着脱可能に装着する記録媒体装着部と、前記記録媒体装着部に装着された記録媒体からデータを読取るデータ読取り手段と、前記記録媒体装着部への記録媒体の装着の有無を検知する検知手段とを具備し、
前記リモートコントロール装置において前記記録媒体装着部に記録媒体が装着されている場合に前記電源ボタンが押下されたとき、電源信号に加えて記録媒体から読取ったデータを前記送信手段から前記テレビジョン受像機に送信する処理を実行させ、
前記テレビジョン受像機において前記処理により送信されたデータを前記記録手段に記録する処理を実行させることを特徴とするコンピュータプログラム。
【発明の詳細な説明】
【技術分野】
【０００１】
本発明は、デジタルテレビ等のテレビジョン受像機と、それを遠隔操作可能なリモートコントロール装置とを有するテレビジョン受像システム、リモートコントロール装置、テレビジョン受像機及びその遠隔操作方法、コンピュータプログラムに関する。
【背景技術】
【０００２】
近年、デジタルテレビ装置等のテレビジョン受像機においては、記録媒体としてＩＣカードであるところのコンパクトフラッシュ（登録商標）やＳＤカードやマルチメディアカード等のメモリカードを装着可能なメモリカードスロットを持つものが現れ始めている。
【０００３】
これらメモリカードは画像や音声、各種データ等をデジタル記録することが可能であるが、特に小型、軽量であるという利点を生かし、デジタルカメラの画像データ等を記録する記録媒体としてよく用いられる。デジタルテレビ装置に具備されるメモリカードスロットは、これらのデジタルカメラの画像データや音楽データ等の再生を主な目的としていることが多い。
【０００４】
従来のデジタルテレビ装置は概ね以下のように構成される。図８は従来例のデジタルテレビ装置８の外観図である。不図示のアンテナによりデジタル及びアナログの放送波を受信し、内蔵されるデジタル及びアナログチューナと復調回路及び映像、音声制御回路等で画像及び音声データが生成されて出力される。画像データは表示部８０１に出力され画像表示を得、音声データは左右に具備されたスピーカ８０２に出力され音声再生される。
【０００５】
８０３は主電源スイッチであり、主電源のＯＮ/ＯＦＦを行う。８０４はリモコン信号受光部であり、赤外線を利用した不図示のリモートコントロール装置（以下、「リモコン装置」と称する）が送信する信号を受光する。ここで受光したリモコン信号は内部で電気信号に変換され、制御部に伝送されてリモコン装置が送信した操作信号に対応する動作を実行することで、ユーザのリモコン装置によるテレビの遠隔操作を可能にしている。
【０００６】
８０５は前面に配置された開閉可能な蓋であり、図示するように蓋８０５が開いている状態では内部の操作部等が露出する。８０６はユーザがリモコン装置によらず手動でテレビ装置の各種操作を行うための操作ボタン群である。８０７はＢ-ＣＡＳカードスロットであり、ユーザ情報等が記録され、デジタル放送を利用したコンテンツの視聴制限や購入等を管理するためのＩＣカードであるところのＢ-ＣＡＳカードを挿入する。８０８はメモリカードスロットであり、デジタルカメラ等の画像データや音楽データが記録されたメモリカードを挿入することで画像や音楽の再生を行う。
【０００７】
メモリカードスロット８０８へのメモリカードの挿抜はユーザによって行われる。デジタルテレビ装置８はメモリカードにアクセスして記録済みのデータを読取るデータ読取り制御手段と画像や音楽を再生するためのアプリケーションプログラムを具備している。アプリケーションプログラムは特定のファイル形式に対応するため、メモリカードに異なるファイル形式のデータの例えばスケジュールファイル等が記録されていたとしても表示不可能であり、そのファイルのデータにはアクセス不能である。
【０００８】
蓋８０５を開けてメモリカードをメモリカードスロット８０８へ挿入することによりメモリカードデータへのアクセスが可能になるが、これらの操作はデジタルテレビ装置８やアプリケーションプログラムが有するＧＵＩ（Graphical User Interface）を介して不図示のリモコン装置により操作される。
【０００９】
デジタルカメラの画像データをデジタルテレビ装置８に表示する場合を例に取ると、ユーザはリモコン装置を操作してＧＵＩ表示の選択項目から「メモリカード」を選択して記録内容を表示させる。記録内容のリストの中からカメラ画像データを選択すると、アプリケーションプログラムが起動し、データ読取り手段によりメモリカードにアクセスして画像データを読取って表示を行う。１枚表示、サムネイル表示、スライドショー等表示の各種表示方法は、アプリケーションソフトが提供する操作方法に従いユーザにより操作される。表示の切替等画像データの書き換えや更新が必要な場合は、その都度データ読取り手段がメモリカードにアクセスして画像データの読取り等を行い所望の表示を行っている。
【００１０】
【特許文献１】実用新案登録第３０７１３２９号公報
【特許文献２】特開２０００−３００１０号公報
【発明の開示】
【発明が解決しようとする課題】
【００１１】
近年では、放送のデジタル化等により大画面でも高画質な映像が得られるようになり、デジタルテレビ装置の表示部は大型化する傾向にある。これに伴い、表示部とユーザの視距離も遠くなる傾向にある。
【００１２】
しかしながら、上述した従来例ではメモリカードスロットがテレビ装置本体にあり、ユーザはメモリカードの挿抜をデジタルテレビ装置が設置されている場所で行わなければならないという煩わしさがある。
【００１３】
また、表示装置も、画面サイズに比例して奥行きも大きくなる従来のような冷陰極管を用いたものより、プラズマディスプレイのような薄型のものが好まれる傾向にある。このような薄型表示装置の場合は、表示装置と表示制御及びＶＴＲ等のテレビ装置に接続される外部機器等を管理するコントローラとが別体で構成される場合も多い。このようなコントローラはステレオアンプ等のような略直方体の形状を成すことが多く、ラックに収納されることも多い。ラックには扉無しの解放された形態のものやガラス等の透明部材を用いた扉付の形態のもの等様々なものがある。このような状況では、上述したようなメモリカードの挿抜作業は面倒を増す上、インテリア性を考慮して扉付のラックにコントローラを収納すると、更に操作性を損なう等の問題が生じる。
【００１４】
また、メモリカードは過度な電流や電圧の印加や物理的ストレスに然程強くないので、特に音楽データ再生時のように常にメモリカードデータにデータ読取り手段がアクセスしているような途中にメモリカードを抜き取ってしまったり、停電や雷による電気的衝撃が加えられたりした場合、メモリカードに記録されているデータが破壊される危険性が高い等の問題がある。
【００１５】
本発明は上記のような点に鑑みてなされたものであり、リモコン装置にメモリカードを着脱可能に装着できるようにし、リモコン装置においてメモリカードを着脱してもテレビジョン受像機側で着脱するのと同等の擬似的状態を作り出すことにより、ユーザによるメモリカードの着脱操作と一体化した、安全で分かりやすく優れたユーザインタフェース環境を提供することにある。
【００１６】
リモコン装置にメモリカードを着脱可能にするものとして、例えば特許文献１に開示されているホームページ表示システムや特許文献２に開示されているリモートコントロール装置等が知られているが、これらは主にメモリカードに記録されている内容をコマンドとして送信したり、リモコン装置自体の機能追加等を行えるようにしたりすることで操作性の向上やリモコン装置の多機能化を実現しようとするものであって、コマンド送信等の比較的短時間内に１つの操作が終了できるものに向いているが、例えば音楽データの再生のように長時間メモリカードのデータにアクセスし続けなければならないような場合には不向きである。
【課題を解決するための手段】
【００１７】
本発明のテレビジョン受像システムは、テレビジョン受像機と、前記テレビジョン受像機を遠隔操作可能なリモートコントロール装置とを有するテレビジョン受像システムであって、前記テレビジョン受像機は、前記リモートコントロール装置から送信されるコマンド及びデータを受信する受信手段と、前記受信手段により受信したデータを記録可能な記録手段と、前記受信手段により受信したコマンドに従って制御を行う制御手段とを具備し、前記リモートコントロール装置は、前記テレビジョン受像機にコマンド及びデータを送信可能な送信手段と、前記テレビジョン受像機の電源のＯＮ/ＯＦＦ操作を行うための電源ボタンと、記録媒体を着脱可能に装着する記録媒体装着部と、前記記録媒体装着部に装着された記録媒体からデータを読取るデータ読取り手段と、前記記録媒体装着部への記録媒体の装着の有無を検知する検知手段とを具備し、前記リモートコントロール装置において前記記録媒体装着部に記録媒体が装着されている場合に前記電源ボタンが押下されたとき、電源信号に加えて記録媒体から読取ったデータを前記送信手段から前記テレビジョン受像機に送信して、前記テレビジョン受像機ではそのデータを前記記録手段に記録する構成にした点に特徴を有する。
本発明のリモートコントロール装置は、テレビジョン受像機を遠隔操作可能なリモートコントロール装置であって、前記テレビジョン受像機にコマンド及びデータを送信可能な送信手段と、前記テレビジョン受像機の電源のＯＮ/ＯＦＦ操作を行うための電源ボタンと、記録媒体を着脱可能に装着する記録媒体装着部と、前記記録媒体装着部に装着された記録媒体からデータを読取るデータ読取り手段と、前記記録媒体装着部への記録媒体の装着の有無を検知する検知手段とを具備し、前記記録媒体装着部に記録媒体が装着されている場合に前記電源ボタンが押下されたとき、電源信号に加えて記録媒体から読取ったデータを前記送信手段から前記テレビジョン受像機に送信して、前記テレビジョン受像機ではそのデータを記録手段に記録する点に特徴を有する。
本発明のテレビジョン受像機は、コマンド及びデータを送信可能な送信手段と、テレビジョン受像機の電源のＯＮ/ＯＦＦ操作を行うための電源ボタンと、記録媒体を着脱可能に装着する記録媒体装着部と、前記記録媒体装着部に装着された記録媒体からデータを読取るデータ読取り手段と、前記記録媒体装着部への記録媒体の装着の有無を検知する検知手段とを具備するリモートコントロールにより遠隔操作可能なテレビジョン受像機であって、前記リモートコントロール装置から送信されるコマンド及びデータを受信する受信手段と、前記受信手段により受信したデータを記録可能な記録手段と、前記受信手段により受信したコマンドに従って制御を行う制御手段とを具備し、前記リモートコントロール装置において前記記録媒体装着部に記録媒体が装着されている場合に前記電源ボタンが押下されたとき、電源信号に加えて記録媒体から読取ったデータが前記送信手段から送信され、そのデータを前記受信部により受信して前記記録部に記録する点に特徴を有する。
本発明のテレビジョン受像機の遠隔操作方法は、リモートコントロール装置によるテレビジョン受像機の遠隔操作方法であって、前記テレビジョン受像機は、前記リモートコントロール装置から送信されるコマンド及びデータを受信する受信手段と、前記受信手段により受信したデータを記録可能な記録手段と、前記受信手段により受信したコマンドに従って制御を行う制御手段とを具備し、前記リモートコントロール装置は、前記テレビジョン受像機にコマンド及びデータを送信可能な送信手段と、前記テレビジョン受像機の電源のＯＮ/ＯＦＦ操作を行うための電源ボタンと、記録媒体を着脱可能に装着する記録媒体装着部と、前記記録媒体装着部に装着された記録媒体からデータを読取るデータ読取り手段と、前記記録媒体装着部への記録媒体の装着の有無を検知する検知手段とを具備し、前記リモートコントロール装置において前記記録媒体装着部に記録媒体が装着されている場合に前記電源ボタンが押下されたとき、電源信号に加えて記録媒体から読取ったデータを前記送信手段から前記テレビジョン受像機に送信する手順と、前記テレビジョン受像機において前記手順により送信されたデータを前記記録手段に記録する手順とを有する点に特徴を有する。
本発明のコンピュータプログラムは、テレビジョン受像機と、前記テレビジョン受像機を遠隔操作可能なリモートコントロール装置とを有するテレビジョン受像システムにおける遠隔操作処理を実行させるコンピュータプログラムであって、前記テレビジョン受像機は、前記リモートコントロール装置から送信されるコマンド及びデータを受信する受信手段と、前記受信手段により受信したデータを記録可能な記録手段と、前記受信手段により受信したコマンドに従って制御を行う制御手段とを具備し、前記リモートコントロール装置は、前記テレビジョン受像機にコマンド及びデータを送信可能な送信手段と、前記テレビジョン受像機の電源のＯＮ/ＯＦＦ操作を行うための電源ボタンと、記録媒体を着脱可能に装着する記録媒体装着部と、前記記録媒体装着部に装着された記録媒体からデータを読取るデータ読取り手段と、前記記録媒体装着部への記録媒体の装着の有無を検知する検知手段とを具備し、前記リモートコントロール装置において前記記録媒体装着部に記録媒体が装着されている場合に前記電源ボタンが押下されたとき、電源信号に加えて記録媒体から読取ったデータを前記送信手段から前記テレビジョン受像機に送信する処理を実行させ、前記テレビジョン受像機において前記処理により送信されたデータを前記記録手段に記録する処理を実行させる点に特徴を有する。
【発明の効果】
【００１８】
本発明によれば、例えばデジタルカメラのデータ等が記録されているメモリカード等の記録媒体をリモートコントロール装置に装着して、テレビジョン受像機の電源をＯＮするためにリモートコントロール装置の電源ボタンを押下するという簡単な操作だけで、メモリカードにデータがある場合はデータ転送され、かつ、そのデータがテレビジョン受像機の記録手段に記録されるので、テレビジョン受像機がメモリカードに直接アクセス不可能であっても、リモコン操作によりテレビジョン受像機の記録手段にアクセスすることで擬似的にメモリカードのデータにアクセス可能になるという効果があり、また、テレビ視聴時等は通常手元に置くリモートコントロール装置で記録媒体を着脱することができるので、テレビジョン受像機側に記録媒体装着部がある場合に比べ格段に操作性を向上させることが可能になるという効果がある。しかも、テレビジョン受像機を遠隔操作するための一般のリモートコントロール装置と同様に片方向のデータ転送で実現可能であるので実現コストを最小限に抑えることが可能である。
【発明を実施するための最良の形態】
【００１９】
以下、添付図面を参照して、本発明の好適な実施形態について説明する。
（第１の実施形態）
図１は本発明を適用したテレビジョン受像システムの外観図である。同図に示すテレビジョン受像機（以下、「テレビ装置」と称する）は、薄型表示装置であるところのプラズマディスプレイ１と、スピーカ２と、テレビ装置を制御するコントローラ３とにより構成される。
【００２０】
プラズマディスプレイ１は、対角４２インチの表示部１０１、リモコン受光部１０２、主電源スイッチ１０３等を備える。
【００２１】
また、プラズマディスプレイ１の左右には音声出力用にスピーカ２が配設される。
【００２２】
また、プラズマディスプレイ１にはコントローラ３がケーブル５により電気的に接続する。コントローラ３には後述するようにアンテナが接続されるとともに放送受信用のチューナ部、デコーダ部、画像及び音声処理部が設けられ、テレビ装置全体を制御するとともに画像データや音声データを生成し、プラズマディスプレイ１及びスピーカ２へ出力して、画像表示及び音声出力を得る。コントローラ３はプラズマディスプレイ１と電気的に接続する他、ビデオやＤＶＤプレーヤ等とも接続可能な複数の外部入出力端子やインターネットや電話回線と接続するための外部通信用端子を備えている。更に、本発明でいう記録手段として例えば容量８０ＧＢのハードディスク装置（ＨＤＤ）を内蔵する。
【００２３】
このようにしたテレビ装置１は、リモートコントロール装置４（以下、「リモコン装置」と称する）により遠隔操作が可能となっている。リモコン装置４は赤外線を用いたものであり、信号受信できない片方向の赤外線信号送信装置である。プラズマディスプレイ１のリモコン受光部１０２によりリモコン装置４から赤外線送信された信号を受光するが、その受光した信号は電気信号に変換されてケーブル５を介してコントローラ３に伝送され、プラズマディスプレイ１に受光した信号に対応する出力を行う。
【００２４】
図２にはリモコン装置４の外観図を示す。４０１はリモコン装置４の動作状態や時刻、送信状況等を表示するモノクロの液晶表示器である。４０２〜４０４、４０６、４０７は操作ボタン群であり、４０６はテレビ装置の電源のＯＮ/ＯＦＦを行う電源ボタン、４０７はメモリカード６のデータを読取って送信を手動で行うためのデータ送信ボタンである。４０５は赤外線により信号を送信する信号送信部である。４０８はメモリカード６を機械的電気的にリモコン装置４に着脱可能に装着するメモリカードスロットである。６はコンパクトフラッシュ（登録商標）カード等のメモリカードであって、本例の場合容量は６４ＭＢである。
【００２５】
図３にはテレビ装置の構成を示すブロック図を示す。ここでは、デジタル放送を受信して表示する例について説明する。アンテナ（パラボラアンテナ）３０１ではＢＳデジタル放送やＣＳデジタル放送を受波する。本実施形態では衛星放送を例にしているが、地上波、光ケーブル等から受信してもよい。
【００２６】
チューナ部３０２では帯域フィルタ、ダウンコンバータ等を通過させた後、復調処理を施すとともに、誤り訂正処理等を行い、所望のＭＰＥＧ２トランスポートストリームを得て、所望の番組のＭＰＥＧ２の映像データ、音声データと付加情報に分離する。
【００２７】
分離されたＭＰＥＧ２の映像及び音声データはデコーダ部３０３で復号化され、映像及びオーディオ信号を生成する。付加情報にはデータ放送等により提供されるＢＭＬ言語で記述されたマルチメディアサービス情報やＥＰＧ（Electrical Program Guid）情報等があり、制御部３０７やデータ解析部３０８で言語解釈やデータ解析が行われる。これらのデータや信号は映像合成部３０４や音声制御部３０５及び表示制御部３０６を経て映像や音声を出力するための適当な信号に変換され、プラズマディスプレイ１やスピーカ２に出力されて放送視聴を可能にしている。
【００２８】
制御部３０７はＲＯＭ３０９やＲＡＭ３１０のメモリ管理及び通信制御部３１１、Ｉ/Ｏ制御部３１２の管理を行い、インターネット等の外部通信機能やビデオレコーダやＤＶＤプレーヤ等の外部ＡＶ機器の入出力制御を行う。更に制御部３７は記録手段であるところのＨＤＤ３１３の記録再生制御を行う。ＨＤＤ３１３にはメモリカード用に２５６ＭＢの記録領域が確保されている。
【００２９】
リモコン装置４から赤外線により送信されるコマンドやデータ等の信号はリモコン受光部１０２で受光し、電気信号に変換されて制御部３０７に渡される。制御部３０７はコマンド等のリモコン信号とメモリカード６のデータ信号の判別が可能であり、メモリカード６のデータ（以下、「メモリカードデータ」とも称する）はＨＤＤ３１３に確保されている上述したメモリカード用記録領域に記録可能である。
【００３０】
次に、図４にはリモコン装置の構成を示すブロック図を示す。なお、図２に示したものと同じ構成要素には同一の符号を付す。リモコン装置４は、操作ボタン群４０２〜４０４、４０６、４０７、リモコン動作を制御するＣＰＵ４１１、コマンド信号等を格納しているメモリ部４１２、液晶表示器４０１及び表示制御を行う表示制御部４１３、メモリカードスロット４０８、メモリカードから記録済みデータを読取る読取り部４１０、メモリカード６の装着の有無を検知する検知部４０９、信号送信部４０５を備える。
【００３１】
読取り部４１０は装着されたメモリカード６に記録されているデータのデータ量を認識可能であり、ＣＰＵ４１１は送信データにそのデータがメモリカードデータであることを識別可能な識別記号と読取り部４１０により認識されたデータ量とを送信信号に付加することが可能である。また、メモリ部４１２には、特にＨＤＤ３１３に確保されている上述したメモリカード用記録領域の記録データを消去するための消去コマンドとリモコン装置４にメモリカード６が未装着であることを判別する非装着信号とが記憶されている。
【００３２】
上記構成において操作ボタン群４０２〜４０４、４０６、４０７のいずれかのボタンがユーザにより押下された場合、ＣＰＵ４１１はどのボタンが押下されたか判別し、押下されたボタン対応するコマンドや信号をメモリ部４１２から呼出して、信号送信部４０５から電気信号を赤外線信号に変換して発光送信するとともに、リモコン装置４上で表示が必要なときには表示制御部４１３を経て液晶表示器４０１に表示を行う。
【００３３】
例えば電源ボタン４０６が押下された場合、上述したように電源信号が信号送信部４０５から送信されるが、これはテレビ装置の電源のＯＮ又はＯＦＦのどちらかを指定するものではなく、電源ボタン４０６が押下されたことを送信する信号であり、電源をＯＮにするかＯＦＦにするかはテレビ装置側の判定による。テレビ装置がリモコンコマンドを受け付けるＯＦＦ状態（スタンバイ状態）であるときは電源を投入し、放送受信等の動作状態である時はＯＦＦ状態に移行させる。
【００３４】
リモコン装置４は電源ボタン４０６が押下されて電源信号を送信する時に、検知部４０９の情報によりメモリカード６がメモリカードスロット４０８に装着状態であるときには、メモリカード６のデータを読取り、電源信号に続いてメモリカード識別信号及びデータ量情報を付加して当該メモリカードデータも送信する。
【００３５】
検知部４０９がユーザによるメモリカード６の挿入により装着状態から非装着状態を検知した場合も同様にメモリカード６から読取ったデータの送信を行う。
【００３６】
また、電源ボタン４０６の押下時に検知部４０９がメモリカード６の非装着状態を検知しているときには、電源信号に続いてメモリ部４１２から非装着信号を呼出して送信する。また、消去コマンドは、検知部４０９がリモコン装置４からメモリカード６が抜き取られることで装着状態から非装着状態へ移行したことを検知した時に送信される。
【００３７】
また、データ送信ボタン４０７が押下された場合、検知部４０９がメモリカード６の装着を検知しているときはデータを読取って送信し、非検知のときはメモリカード非装着信号をメモリ部４１２から呼出して上述したのと同様に送信する。
【００３８】
一方、テレビ装置において、プラズマディスプレイ１のリモコン受光部１０２でリモコン装置４から送信された信号やデータを受信すると、その受信した信号は電気信号に変換されてケーブル５を経てコントローラ３の制御部３０７に渡される。メモリカードデータを受信した場合は、メモリカードデータを分離して、ＨＤＤ３１３のメモリカード用記録領域に記録する。
【００３９】
受信データの先頭部分には受信すべきデータ量が付加されているので、実際に受信したデータ量と本来受信すべきデータ量とを比較することができ、データ送受信のエラー等でデータ受信が不完全であった場合はメッセージ等を表示することが可能である。
【００４０】
また、以下の場合はＨＤＤ３１３のメモリカード用記録領域に記録されているメモリカードデータを消去する。
（１）テレビ装置をＯＮ状態からスタンバイ又はＯＦＦ状態にする時
（２）消去コマンドを受信した時
【００４１】
以上のようにすることで、メモリカード６に記録されたデジタルカメラの画像データをプラズマディスプレイ１で見ようとしたとき、次のようにして見ることができる。
【００４２】
・テレビ電源がスタンバイ状態の場合
メモリカード６をリモコン装置４に装着した時にリモコン装置４からメモリカードデータが送信されるが、テレビ装置はスタンバイ状態なのでデータを受信しない。この状態でリモコン装置４の電源ボタン４０６を押下すると、自動的にメモリカードデータが送信されてＨＤＤ３１３に格納されるので、テレビ装置によるデジタルカメラの画像表示が可能になる。このとき、画像を表示するためのアプリケーションプログラムはＲＯＭ３０９又はＲＡＭ３１０に格納されており、そこからアプリケーションプログラムを呼出すことでプログラムの実行が可能であり、またデータアクセスはＨＤＤ３１３に対して行われる。
【００４３】
・テレビ電源がＯＮ状態の場合
電源ＯＮ時にデータ受信完了している場合は、ＨＤＤ３１３のメモリカードデータ（例えばデジタルカメラの画像データ）にアクセス可能である。データ受信していない場合は、メモリカード６が未装着の場合であるから、リモコン装置４にメモリカード６が挿入された時それを検知してメモリカードデータが自動的に送信されて、ＨＤＤ３１３に記録される。メモリカードが抜き取られた場合は、消去コマンドが送信されて、ＨＤＤ３１３に記録されたメモリカードデータが消去されアクセス不能になる。電源ボタン４０６が押下されて電源ＯＦＦに移行する時は、リモコン装置４からメモリカードデータも送信されてくるが、これは無視されてＨＤＤ３１３からデータ消去が行われる。
【００４４】
以上説明してきたように、リモコン装置４にメモリカード６が装着されている状態で電源ボタン４０６が押下された場合、メモリカード６に記録されているデータを送信して、テレビ装置のＨＤＤ３１３に記録し、メモリカード６が非装着の場合は非装着信号を送信するようにした。これにより、ユーザは、例えばデジタルカメラの画像データ等が記録されているメモリカード６をリモコン装置４に挿入してテレビ装置の電源をＯＮするためにリモコン装置４の電源ボタン４０６を押下するという簡単な操作だけで、メモリカード６にデータがある場合はデータ転送され、かつ、そのデータがテレビ装置のＨＤＤ３１３に記録されるので、テレビ装置がメモリカード６に直接アクセス不可能であっても、リモコン操作によりテレビ装置のＨＤＤ３１３にアクセスすることで擬似的にメモリカード６のデータにアクセス可能になるという効果があり、また、テレビ視聴時等は通常手元に置くリモコン装置４でメモリカード６を着脱できるので、テレビ装置側にメモリカードスロットがある場合に比べ格段に操作性を向上させることが可能になるという効果がある。
【００４５】
また、メモリカード６の装着状態を検知することで新たにリモコン装置４にメモリカード６が装着された時は自動的にメモリカード６からデータを読取ってテレビ装置にデータを送信してＨＤＤ３１３にデータを記録し、リモコン装置４からメモリカード６が抜き取られたときは同様にそれを検知してデータの消去コマンドを送信してＨＤＤ３１３にあるメモリカードデータを消去するようにした。これにより、リモコン装置４にメモリカード６を挿入すればメモリカードデータがテレビ装置に取り込まれて、そのデータへのアクセスが可能となり、メモリカード６を取り出せばテレビ装置からメモリカードデータが消去されるので、そのデータへのアクセスが不可能になり、あたかもテレビ装置側にメモリカードスロットがあり、メモリカード６のデータにアクセスする場合と同等の直感的で分かりやすい使用環境が実現でき、操作性の向上が図れるという効果がある。
【００４６】
更に、テレビ装置がユーザの意思により電源ＯＦＦ（スタンバイ状態）に移行する場合、ＨＤＤ３１３のメモリカードデータを消去するようにしたので、テレビ装置の電源が投入されていない状態でリモコン装置４からメモリカード６の挿抜、交換等が行われたとしても、前のデータが残っていることに起因する混乱が起きないという効果がある。
【００４７】
以上のようにすることで、プラズマディスプレイ１やコントローラ３にメモリカードスロットを設けてメモリカードの着脱を行い直接カードにアクセスすることでデジタルカメラの画像等を表示する場合と同等の操作環境がリモコン装置４でメモリカード６を着脱しても実現可能となる。特にコントローラ３にメモリカードスロットを設けた場合、扉付のラック等に収納すると著しく操作性を損なってしまうが、本発明を適用することにより、コントローラ３をラックに入れても操作性を損なうことなく手元で簡単にメモリカード６の操作をすることが可能になる。
【００４８】
また、電源ＯＦＦ時にメモリカード６の交換した場合でも、電源ＯＮ時に新しいデータに自動更新され、電源ＯＮ時にメモリカード６を交換しても新しいデータに自動的にデータ更新される等メモリカード６の挿抜状態とデータへのアクセスの可否が一致するので、ユーザにとっては直接的で分かりやすい操作環境となる。
【００４９】
更に、メモリカードデータがＨＤＤ３１３に記録され、そこにアクセスするようにしたので長時間のアクセスも可能で、メモリカード６は電気的ストレスに十分強くないため停電や雷等の影響で異常電流や電圧がかかりデータを破損するという危険性を回避することができ、安全性が増す。
【００５０】
また、リモコン装置４としては、これまでと同様に片方向の赤外線通信で実現可能であり、低コストで実現可能である。
【００５１】
なお、メモリカードとしては、上述したコンパクトフラッシュ（登録商標）カード以外にも、マルチメディアカードやＳＤカード等もよく、メモリカードスロットも複数備えてもよい。また、デジタルカメラの画像データを例に説明したがこれに限定するものではなく、音楽データ等でもよい。
【００５２】
また、本実施形態では、本発明でいうテレビジョン受像機として表示装置（プラズマディスプレイ１）とコントローラ３とが別体のものを説明したが、図８に示したような一体のものに適用してもよいことは言うまでもない。
【００５３】
（第２の実施形態）
第２の実施形態として、主にリモコン装置４からのメモリカードデータ転送エラーに対応する表示方法等について説明する。なお、上記第１の実施形態と同様の構成要素には同一の符号を付し、その詳細な説明は省略する。図５に示すように、プラズマディスプレイ１の前面下部には緑と橙の２色発光が可能なＬＥＤ１０４が配設される。緑色の場合は正常に送信されたメモリカードデータがＨＤＤ３１３に記録されていることを表し、橙色の場合はデータ送信が不完全であることを表す。また、メモリカードデータがＨＤＤ３１３に記録されていない場合は不灯となる。
【００５４】
第１の実施形態で説明したようにリモコン装置４から送信されるメモリカードデータには送信データ量の情報等を付加することができる。本例ではメモリカードデータの送信開始信号と送信終了信号を付加して送信する。
【００５５】
リモコン装置４から送信され、ＨＤＤ３１３に記録されたデジタルカメラの画像データにアクセスするには、図６に示す入力切替用のＧＵＩを画面に表示し、そこで「メモリカード」を選択してアクセスすることが可能である。リモコン装置４の検知部４０９がメモリカード６の装着を検知していない場合は同図の選択項目に「メモリカード」は表示されないが、この状態でリモコン装置４にメモリカード６が挿入されそのデータを受信した場合はＧＵＩが更新され「メモリカード」の項目が追加される。データ受信が不完全であった場合は、例えば「メモリカード」の項目は輝度が他の部分に比べ低くなり、かつ、「メモリカード△」と表示される。
【００５６】
データ受信が正常に行われたか不完全であったかは、上述した送信開始信号及び送信終了信号が揃っているか否かで判定し、揃っていなければデータ送信は不完全である。
【００５７】
メモリカード６のデータ送信はリモコン装置４にメモリカード６が装着状態で電源ボタン４６が押下されてテレビ装置がＯＮになる時と、テレビ装置がＯＮ状態でユーザがメモリカード６をリモコン装置４に挿入した時に自動的に開始される。データ受信が正常に終了した場合、ＬＥＤ１０４は緑色に点灯するが、不完全であった場合は図７に示す背景色が橙色のＧＵＩが５秒間画面に点滅表示され、同時にＬＥＤ１０４も橙色で点滅し、ユーザへリモコン装置４のデータ送信ボタン４０７を押下する要求を出す。前記ＧＵＩは５秒後に画面から消えるがＬＥＤ１０４は点灯状態となる。
【００５８】
プラズマディスプレイ１のＬＥＤ１０４近傍にはＬＥＤ１０４が何を表しているかの「メモリカード」等の文字を表示することが多いが、大きな文字で表示しにくいためユーザの視聴位置からは読取ることが困難であることが多く、そのＬＥＤが何を示すものなのか分かりずらいということがある。そこで、上述したようにＧＵＩとＬＥＤを同色とし、同じ動作（点滅）で同時に表示することにより、ユーザはそれが何を示すものなのかを簡単に学習可能になる。また、ＧＵＩにはユーザが何をすれば良いのかが優先されているので、次の操作をどうすれば良いのかも同時に学習することになり学習効果が高い。
【００５９】
ＧＵＩは５秒後に非表示となるが、ＬＥＤ１０４は橙色の点滅から点灯に移行しＬＥＤ１０４でデータ受信の状態のみを表すようにした。これはユーザがメモリカード操作をしたからといって、その場で直ぐデジタルカメラ画像等のメモリカードデータにアクセスしたいのかどうか不明である、例えばメモリカードは小さいため、なくさないようにするためにリモコンをケース代わりに使用することも考えられるからであり、そのような場合においてはＧＵＩ表示が消えなくする等で強制的にデータ送信操作をユーザに強いるのは好ましくなく、返って視聴の妨げになる場合があるからである。
【００６０】
データ受信が不完全な状態で、図６のようなＧＵＩから「メモリカード△」の項目が選択された場合も上記で説明したＧＵＩの点滅表示を行う。この場合、ＬＥＤ１０４は点灯表示から点滅表示となる。このようなときは、ユーザはメモリカードデータにアクセスするという意思を表現しているからユーザが操作を中断するかデータ送信ボタン４０７を押下するまで表示を継続し、データ受信が正常に行われた時は例えばデジタルカメラ画像を表示するアプリケーションが起動する。
【００６１】
以上説明してきたように、テレビ装置のＨＤＤ３１３のメモリカードデータの有無を判別し、メモリカードデータへアクセスしようとする時ＧＵＩにアクセス可能かどうか視覚的に反映するようにし、ユーザが判別可能にした。また同様に、メモリカードデータがテレビ装置のＨＤＤ３１３にあるかどうかを判別し、メモリカードデータの有無を判別可能にした。これにより、ユーザはＨＤＤ３１３にメモリカードデータがあるかどうか容易に判別できるようになり利便性の向上が図れるという効果がある。
【００６２】
更に、リモコン装置４からメモリカードデータを送信する際、送信される予定のデータ量をメモリカード６から読取りメモリカードデータに付加して送信するようにし、テレビ装置側で受信したデータ量をその送信予定のデータ量と比較可能としデータ送信が正常に行われたか否かを判別できるようにした。これにより、データ送信時エラーが発生してもユーザに再送信の要求メッセージを表示する、ＬＥＤ等の識別手段に反映させる等、データへのアクセス時に適切な操作支援が可能になり、操作性を向上させるという効果がある。
【００６３】
なお、本発明の目的は、上述した実施形態の機能を実現するソフトウェアのプログラムコードを記録した記憶媒体を、システム或いは装置に供給し、そのシステム或いは装置のコンピュータ（又はＣＰＵやＭＰＵ）が記憶媒体に格納されたプログラムコードを読み出し実行することによっても、達成されることは言うまでもない。
【００６４】
この場合、記憶媒体から読み出されたプログラムコード自体が上述した実施形態の機能を実現することになり、プログラムコード自体及びそのプログラムコードを記憶した記憶媒体は本発明を構成することになる。
【００６５】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００６６】
また、コンピュータが読み出したプログラムコードを実行することにより、上述した実施形態の機能が実現されるだけでなく、そのプログラムコードの指示に基づき、コンピュータ上で稼動しているＯＳ(基本システム或いはオペレーティングシステム)などが実際の処理の一部又は全部を行い、その処理によって上述した実施形態の機能が実現される場合も含まれることは言うまでもない。
【００６７】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部又は全部を行い、その処理によって上述した実施形態の機能が実現される場合も含まれることは言うまでもない。
【図面の簡単な説明】
【００６８】
【図１】第１の実施形態のテレビジョン受像システムの外観図である。
【図２】リモコン装置の外観図である。
【図３】テレビ装置の構成を示すブロック図である。
【図４】リモコン装置の構成を示すブロック図である。
【図５】第２の実施形態のテレビジョン受像システムの外観図である。
【図６】ＧＵＩ表示例を示す図である。
【図７】他のＧＵＩ表示例を示す図である。
【図８】従来例のデジタルテレビ装置の外観図である。
【符号の説明】
【００６９】
１      プラズマディスプレイ
２      スピーカ
３      コントローラ
４      リモートコントロール装置
５      ケーブル
６      メモリカード
１０１  表示部
１０２  リモコン受光部
１０３  主電源スイッチ
３０１  アンテナ
３０２  チューナ部
３０３  デコーダ部
３０４  映像合成部
３０５  音声制御部
３０６  表示制御部
３０７  制御部
３０８  データ解析部
３０９  ＲＯＭ
３１０  ＲＡＭ
３１１  通信制御部
３１２  Ｉ/Ｏ制御部
３１３  ＨＤＤ
４０１  液晶表示器
４０２〜４０４、４０６、４０７  操作ボタン群
４０８  メモリカードスロット
【図１】
2006086589.tif 000003
【図２】
2006086589.tif 000004
【図３】
2006086589.tif 000005
【図４】
2006086589.tif 000006
【図５】
2006086589.tif 000007
【図６】
2006086589.tif 000008
【図７】
2006086589.tif 000009
【図８】
2006086589.tif 000010